(57)【特許請求の範囲】
【請求項１】
画像送信装置と、画像受信装置とを有する画像送受信システムであって、
前記画像送信装置は、
圧縮画像情報に前記圧縮画像情報の属するフィールドの種類を示す付加情報を付加する付加手段と、
前記付加情報が付加された前記圧縮画像情報を無線で送信する送信手段
とを有する装置であり、
前記画像受信装置は、
前記付加情報が付加された前記圧縮画像情報を受信する受信手段と、
複数の前記圧縮画像情報の格納が可能なメモリと、
前記メモリから読み出された前記圧縮画像情報を伸長する画像伸長手段と、
前記画像伸長手段で伸長された前記圧縮画像情報を映像信号に変換する変換手段と、
前記変換手段から出力されたフィールドの種類を示す信号と、前記メモリに書き込まれる前記圧縮画像情報に付加された前記付加情報によって判別されたフィールドの種類を示す信号とに基づいて、前記メモリから読み出される前記圧縮画像情報を選択する選択手段
とを有する装置である
ことを特徴とする画像送受信システム。
【請求項２】
前記送信手段は、スペクトラム拡散方式を用いて、前記付加情報が付加された前記圧縮画像情報を送信し、前記受信手段は、スペクトラム拡散方式を用いて、前記付加情報が付加された前記圧縮画像情報を受信することを特徴とする請求項１に記載の画像送受信システム。
【請求項３】
前記画像送信装置は、
被写体の光学像を撮像する撮像手段と、
前記撮像手段から出力された映像信号を圧縮して前記圧縮画像情報を出力する画像圧縮手段
とを有する装置であることを特徴とする請求項１または２に記載の画像送受信システム。
【請求項４】
前記画像受信装置は、前記圧縮画像情報から得られた映像信号を記録媒体に記録する記録手段をさらに有することを特徴とする請求項１から３のいずれかに記載の画像送受信システム。
【請求項５】
前記画像受信装置は、前記圧縮画像情報から得られた映像信号を表示する表示手段をさらに有することを特徴とする請求項１から４のいずれかに記載の画像送受信システム。
【請求項６】
圧縮画像情報に前記圧縮画像情報の属するフィールドの種類を示す付加情報を付加する付加手段と、前記付加情報が付加された前記圧縮画像情報を無線で送信する送信手段とを有する画像送信装置から送信された、前記付加情報が付加された前記圧縮画像情報を受信する受信手段と、
複数の前記圧縮画像情報の格納が可能なメモリと、
前記メモリから読み出された前記圧縮画像情報を伸長する画像伸長手段と、
前記画像伸長手段で伸長された前記圧縮画像情報を映像信号に変換する変換手段と、
前記変換手段から出力されたフィールドの種類を示す信号と、前記メモリに書き込まれる前記圧縮画像情報に付加された前記付加情報によって判別されたフィールドの種類を示す信号とに基づいて、前記メモリから読み出される前記圧縮画像情報を選択する選択手段
とを有することを特徴とする画像受信装置。
【請求項７】
前記受信手段は、スペクトラム拡散方式を用いて、前記付加情報が付加された前記圧縮画像情報を受信することを特徴とする請求項６に記載の画像受信装置。
【請求項８】
前記画像受信装置は、前記圧縮画像情報から得られた映像信号を記録媒体に記録する記録手段をさらに有することを特徴とする請求項６または７に記載の画像受信装置。
【請求項９】
前記画像受信装置は、前記圧縮画像情報から得られた映像信号を表示する表示手段をさらに有することを特徴とする請求項６から８のいずれかに記載の画像受信装置。
【発明の詳細な説明】
【０００１】
【発明の属する技術分野】
本発明は、圧縮画像情報を受信する画像受信装置および当該画像受信装置を有する画像送受信システムに関する。
【０００２】
【従来の技術】
無線で画像情報を伝送する方式として、スペクトラム拡散伝送方式が注目されている。直接拡散方式を用いたスペクトラム拡散伝送方式では、送信側で、通常送信するディジタル信号のベースバンド信号を、擬似雑音符号（ＰＮ符号）等の拡散符号系列を用いて、原データに比べてきわめて広い帯域幅をもつベースバンド信号に拡散する。そして、ＰＳＫ（位相シフトキーイング）又はＦＳＫ（周波数シフトキーイング）等の変調方式で変調し、ＲＦ（無線周波数）信号に変換して無線送信する。受信側では、送信側と同一の拡散符号を用いて受信信号との相関をとることで、即ち、逆拡散することで、受信信号を原データに対応した帯域幅をもつ狭帯域信号に変換する。続いて、通常のデータ復調を行ない、原データを再生する。
【０００３】
このように、スペクトラム拡散伝送方式では、情報帯域幅に対し送信帯域幅が極めて広いので、送信帯域幅が一定の条件下では、通常の狭帯域変調方式に比べ非常に低い伝送速度しか実現できない。
【０００４】
これに対し、画像データ等の大量のデータを伝送する手段として、符号分割多重化方式が提案されている。この方式は、高速の情報信号を低速の並列データに変換し、それぞれ異なる拡散符号系列で拡散変調して加算した後に、ＲＦ信号に変換して送信するものであり、拡散変調の拡散率を下げることなしに、送信帯域幅一定の条件下で高速のデータ伝送を実現できる。
【０００５】
近年、ディジタル・スチル・カメラ、ディジタル・ビデオ・カメラ又は画像記録媒体を具備しない電子カメラが、汎用的な画像入力装置として注目されており、軽量・小型化を図るためにも、カメラ部と、そのファインダ又は再生画像表示用の画像表示装置とを別ユニットにし、このようなユニット間の信号伝送にスペクトラム拡散無線伝送方式を使用する構成が提案されている。図１０は、従来例の送信側（カメラユニット側）の概略構成ブロック図を示し、図１１は、受信側（画像記録表示ユニット側）の概略構成ブロック図を示す。
【０００６】
図１０を説明する。１１０は、撮影レンズ及び撮像素子を具備し、被写体光学像の映像信号を出力する撮像装置であり、画像圧縮回路１１２は、撮像装置１１０の出力映像信号を高能率符号化し、その圧縮画像情報は、バッファ・メモリ１１４を介してスペクトラム拡散送信回路１１６に印加される。スペクトラム拡散送信回路１１６は、バッファ・メモリ１１４からの圧縮画像情報をスペクトラム拡散方式に従いＲＦ信号に変換する。スペクトラム拡散送信回路１１６の出力信号はスイッチ１１８を介してアンテナ１２０に印加され、ここから無線送信される。
【０００７】
他方、相手からの無線信号は、アンテナ１２０及びスイッチ１１８を介してスペクトラム拡散受信回路１２２に入力し、ここで受信処理されて、カメラ部制御回路１２４に印加される。カメラ部制御回路１２４は、画像受信側からの制御信号（スペクトラム拡散受信回路１２２の出力）及び操作キー１２６の操作並びに所定の制御プログラムに従い、全体、特に、撮像装置１１０の露出及びフォーカス、画像圧縮回路１１２の圧縮条件、バッファ・メモリ１１４の書き込み・読み出し、スイッチ１１８の切り換え、及びスペクトラム拡散送信回路１１６の送信条件（使用する送信帯域など）を制御する。
【０００８】
図１１を説明する。図１０に示すカメラ・ユニットからの圧縮画像情報は、アンテナ１３０及びスイッチ１３２を介してスペクトラム拡散受信回路１３４に入力し、ここで、逆拡散されて原圧縮画像データが復元される。復元された圧縮画像データはバッファ・メモリ１３６を介して画像伸長回路１３８に印加される。画像伸長回路１３８は受信した圧縮画像情報を伸長する。このようにして復元された画像データがＮＴＳＣエンコーダ１４０に印加されて、ＮＴＳＣ形式に変換され、記録装置１４２及び映像モニタ１４４に印加される。記録装置１４２は、ＮＴＳＣエンコーダ１４０から出力されるＮＴＳＣビデオ信号を記録媒体に記録し、映像表示モニタ１４４は、 ＮＴＳＣエンコーダ１４０から出力されるＮＴＳＣビデオ信号を映像表示する。
【０００９】
表示部制御回路１４６は、操作キー１４８及び所定の制御プログラムに従い、スペクトラム拡散受信回路１３４、バッファ・メモリ１３６、画像伸長回路１３８、記録装置１４２及びスイッチ１３２を制御すると共に、カメラ・ユニットに対する制御信号をスペクトラム拡散送信回路１５０に印加する。スペクトラム拡散送信回路１５０は、この制御信号をスペクトラム拡散し、ＲＦ信号に変換して出力する。回路１５０の出力は、スイッチ１３２を介してアンテナ１３０に印加され、図１０に示すカメラ・ユニットに無線送信される。
【００１０】
このような構成により、画像情報（及び音声情報）をスペクトラム拡散方式で離れた場所に無線送信し、画像情報を表示及び／又は記録することができる。
【００１１】
【発明が解決しようとする課題】
しかし、従来例では、標準テレビジョン信号を画像圧縮して送受信する場合、受信側の画像表示部では、独自に画像表示のための映像同期信号を作成しなければならいので、送信側と受信側で信号の同期がとれず、その結果、受信画像が不自然になるという問題点があった。その理由を簡単に説明する。
【００１２】
図１２は、標準テレビジョン信号であるＮＴＳＣ方式の走査線構成を示す。｀１フレームは５２５本の走査線からなり、１秒間当たり３０フレームである。但し、１：２のインターレース走査方式が採用され、まず最初の１／６０秒間に１、２、３、・・・、２６２のように１本置きに走査し、次の１／６０秒間に２６３、２６４、・・・、５２５というように最初の１／６０秒の走査線の間に入るように走査される。最初の１／６０秒の走査画面が奇（ＯＤＤ）フィールド、２回目の１／６０秒の走査画面が偶（ＥＶＥＮ）フィールドと一般的に呼ばれている。これらのフィールド画は一般的に、垂直同期信号と呼ばれる同期信号により区分され、かつまた、各フィールド画面間で同期がとられている。
【００１３】
例えば、図１３に示すよう三角図形を表示する場合を考える。図１４は、図１１に示す受信側ユニットのタイミング波形を示し、（１）はＮＴＳＣエンコーダ１４０の垂直同期信号、（２）はバッファ・メモリ１３６へのデータ書き込み、（３）はバッファ・メモリ１３６からのデータ読み出しをそれぞれ示す。圧縮画像データの受信とＮＴＳＣエンコーダ１４０の処理速度とは必ずしも一致しないので、緩衝用にバッファ・メモリ１３６が設けられる。バッファ・メモリ１３６は２つのバンク１，２を具備し、一方を書き込み用、他方を読み出し用とし、逐次切り換える。バッファ・メモリ１３６の読み出しレートを、ＮＴＳＣエンコーダ１４０の処理速度に合わせる。
【００１４】
図１４に示すようなタイミングでデータが受信されると、ＮＴＳＣエンコーダ１４０が生成する同期信号が偶フィールドのときに、偶フィールドの画像データが画像伸長回路１３８からＮＴＳＣエンコーダ１４０に入力され、奇フィールドのときに、奇フィールドの画像データが画像伸長回路１３８からＮＴＳＣエンコーダ１４０に入力される。このようなタイミングのとき、映像モニタ１４４には正常に画像が表示される。図１５は、映像モニタ１４４に表示される、図１３のＡ付近の走査線拡大画像を示す。
【００１５】
これに対し、画像送信側と画像受信側で映像同期信号がずれ、例えば、図１６に示すようなタイミングになってしまったとき、映像モニタ１４４に表示される画像は、図１７に示す例のように偶フィールドと奇フィールドの関係が逆になったものとなる。即ち、本来、偶フィールドとして表示されるフィールド画が奇フィールドに表示され、奇フィールドとして表示されるフィールド画が偶フィールドに表示されてしまう。これにより、輪郭部分の画質が大幅に低下する。
【００１６】
また、送信側と受信側間の無線伝播上の障害により、伝送情報が欠落する場合があり、これもまた、送信側と受信側とで同期がずれる一因になっており、その都度、表示画面上でのフィールド対応がずれてしまうことがあり、表示画像の乱れ又は劣化につながっている。
【００１７】
本発明は、このような問題点を解決する画像送受信システムおよび画像受信装置を提示することを目的とする。
【００１９】
【課題を解決するための手段】
本発明に係る画像送受信システムは、例えば、画像送信装置と、画像受信装置とを有する画像送受信システムであって、前記画像送信装置は、圧縮画像情報に前記圧縮画像情報の属するフィールドの種類を示す付加情報を付加する付加手段と、前記付加情報が付加された前記圧縮画像情報を無線で送信する送信手段とを有する装置であり、前記画像受信装置は、前記付加情報が付加された前記圧縮画像情報を受信する受信手段と、複数の前記圧縮画像情報の格納が可能なメモリと、前記メモリから読み出された前記圧縮画像情報を伸長する画像伸長手段と、前記画像伸長手段で伸長された前記圧縮画像情報を映像信号に変換する変換手段と、前記変換手段から出力されたフィールドの種類を示す信号と、前記メモリに書き込まれる前記圧縮画像情報に付加された前記付加情報によって判別されたフィールドの種類を示す信号とに基づいて、前記メモリから読み出される前記圧縮画像情報を選択する選択手段とを有する装置であることを特徴とする。
また、本発明に係る画像受信装置は、例えば、圧縮画像情報に前記圧縮画像情報の属するフィールドの種類を示す付加情報を付加する付加手段と、前記付加情報が付加された前記圧縮画像情報を無線で送信する送信手段とを有する画像送信装置から送信された、前記付加情報が付加された前記圧縮画像情報を受信する受信手段と、複数の前記圧縮画像情報の格納が可能なメモリと、前記メモリから読み出された前記圧縮画像情報を伸長する画像伸長手段と、前記画像伸長手段で伸長された前記圧縮画像情報を映像信号に変換する変換手段と、前記変換手段から出力されたフィールドの種類を示す信号と、前記メモリに書き込まれる前記圧縮画像情報に付加された前記付加情報によって判別されたフィールドの種類を示す信号とに基づいて、前記メモリから読み出される前記圧縮画像情報を選択する選択手段とを有することを特徴とする。
【００２１】
【発明の実施の形態】
以下、図面を参照して、本発明の一実施例を詳細に説明する。
【００２２】
図１は、本発明の一実施例の送信側（カメラ・ユニット）の概略構成ブロック図を示す。１０は、撮影レンズ及び撮像素子を具備し、被写体光学像の映像信号を出力する撮像装置、１２は、撮像装置１０の出力映像信号を高能率符号化する画像圧縮回路、１４は、画像圧縮回路１２による圧縮画像情報をバッファ・メモリ１５に書き込み及び読出しする送信メモリ制御回路、１６は送信メモリ制御回路１４からの圧縮画像情報をスペクトラム拡散方式でＲＦ信号に変換するスペクトラム拡散送信回路、１８はスペクトラム拡散送信回路１６の出力のアンテナ２０への供給と、スペクトラム拡散送信回路１６に対応するスペクトラム拡散受信回路２２へのアンテナ２０の受信信号の供給を切り換えるスイッチである。２４は、全体を制御するカメラ部制御回路、２６は、ユーザの指示をカメラ部制御回路２４に入力する操作キーである。
【００２３】
本実施例の動作を説明する。撮像装置１０は、被写体光学像の映像信号を画像圧縮回路１２に供給し、画像圧縮回路１２は、その映像信号を高能率符号化して送信メモリ制御回路１４に印加する。撮像回路１０はまた、出力映像信号が奇フィールドか偶数フィールドかを示すフィールド・ステータス信号を送信メモリ制御回路１４に供給する。送信メモリ制御回路１４は、画像圧縮回路１２による画像圧縮処理のタイムラグを加味し、画像圧縮回路１２から出力される圧縮画像データに、それが奇フィールドか偶フィールドかを示すタグ情報（フィールド・マーク）を付加して、バッファ・メモリ１５に格納する。図２は、フィールド・マークと画像データの１つの結合例を示す。バッファ・メモリ１５を、２つのバンク１，２に分割し、それぞれにフィールド・マークと各フィールドの圧縮画像データが結合されて格納される。
【００２４】
送信メモリ制御回路１４は、スペクトラム拡散送信回路１６からのデータ要求に従いバッファ・メモリ１５からデータ（フィールド・マークと圧縮画像データ）を読み出してスペクトラム拡散送信回路１６に供給する。スペクトラム拡散送信回路１６は、送信メモリ制御回路１４からのデータをスペクトラム拡散方式に従いＲＦ信号に変換する。スペクトラム拡散送信回路１６の出力信号はスイッチ１８を介してアンテナ２０に印加され、ここから無線送信される。
【００２５】
図３は、バッファ・メモリ１５の書き込みと読み出しのタイミングの一例を示す。図３（１）は、撮像回路１０から出力される映像信号の垂直同期信号、同（２）は画像圧縮回路１２の出力データ、即ち、バッファ・メモリ１５に書き込まれるデータ、同（３）は送信データ、即ち、バッファ・メモリ１５から読み出されるデータである。図３に示すように、バンク１とバンク２が、交互に書き込み及び読み出しされる。
【００２６】
図４は、本実施例の受信側（記録表示ユニット）の概略構成ブロック図を示す。３０はアンテナ、３２は、送信と受信と切換えスイッチ、３４はスペクトラム拡散受信回路、３６は、スペクトラム拡散受信回路３４の出力（フィールド・マーク付きの圧縮画像データ）を一時記憶するバッファ・メモリ、３８はバッファ・メモリ３８からのフィールド・マークによりフィールド・タイプを判別するフィールド判別回路である。４０は、フィールド判別回路３８を介してバッファ・メモリ３６から供給される受信圧縮画像データをメイン・メモリ４２に一時記憶し、現在表示出力する映像信号のフィールド・タイプと合致させる受信メモリ制御回路である。受信メモリ制御回路４０及びメイン・メモリ４２の作用及び具体的構成は、後述する。
【００２７】
４４は、受信メモリ制御回路４０からの圧縮画像データを伸長する画像伸長回路、４６は、画像伸長回路４４からの画像データをＮＴＳＣ形式ビデオ信号に変換するＮＴＳＣエンコーダである。ＮＴＳＣエンコーダ４６は、現在出力している映像信号のフィールド・タイプを示す信号を受信メモリ制御回路４０に供給する。４８はＮＴＳＣエンコーダ４６の出力映像信号を磁気テープなどに記録する記録装置、５０は、ＮＴＳＣエンコーダ４６の出力映像信号を映像表示する映像モニタである。
【００２８】
５２は、操作キー５４の操作に従い全体を制御する表示部制御回路、５６は、図１に示すカメラ・ユニットを制御すべく表示部制御回路５２から出力される制御信号（状態問い合わせ信号なども含む。）をスペクトラム拡散方式のＲＦ信号に変換するスペクトラム拡散送信回路である。スペクトラム拡散受信回路３４から表示部制御回路５２へは、状態問い合わせ信号の応答信号が供給される。
【００２９】
図５は、受信メモリ制御回路４０とメイン・メモリ４２の部分の概略構成ブロック図を示す。受信メモリ制御回路４０は、メモリ書き込み回路６０、メモリ読み出し回路６２、及びこれらを制御するマイクロコントローラ６４からなり、メイン・メモリ４２は、それぞれ１フィールド分の圧縮画像データを記憶自在な３つのバンク１，２，３を具備する。
【００３０】
図４の動作を説明する。カメラ・ユニットからの無線データは、アンテナ３０及びスイッチ３２を介してスペクトラム拡散受信回路３４に入力し、ここで逆拡散されて、圧縮画像データ形式に復元される。復元されたデータ（フィールド・マーク付きの圧縮画像データ）は、バッファ・メモリ３６に一時格納される。フィールド判別回路３８は、バッファ・メモリ３６に所定量以上のデータが格納されると、データ読み出し可能を示すデータ・レディ信号（Ｈ）を受信メモリ制御回路４０に印加する。
【００３１】
受信メモリ制御回路４０（のマイクロコントローラ６４）は、フィールド判別回路３８からのデータ・レディ信号がＨのときで、メイン・メモリ４２に次のフィールドの圧縮画像データを格納すべきときには、フィールド判別回路３８にデータ要求信号を出力する。フィールド判別回路３８は受信メモリ制御回路４０からのデータ要求信号に応じて、バッファ・メモリ３６からフィールド・マーク及び圧縮画像データを読み出し、フィールド・マークからその圧縮画像データが奇フィールドのものか偶フィールドのものかを判別し、判別結果と圧縮画像データを受信メモリ制御回路４０に供給する。バッファ・メモリ３６の全データが読み出されると、フィールド判別回路３８はデータ・レディ信号をＬにする。
【００３２】
メモリ書き込み回路６０は、マイクロコントローラ６４からの書き込みバンク指定信号に従い、フィールド判別回路３８からの１フィールド分の受信データ（圧縮画像データ）をメインメモリ４２の指定のバンクに書き込む。通常は、１フィールド分の受信データが入力されるたびに、バンク１、バンク２、バンク３、バンク１及びバンク２・・・というように、受信データが各バンクに順番に書き込まれる。
【００３３】
マイクロコントローラ６４は、ＮＴＳＣエンコーダ４６からのフィールド・ステータス信号に従いメイン・メモリ４２の適切なバンクを読み出し用に選定し、そのバンクを指定する読み出しバンク指定データをメモリ読み出し回路６２に出力する。また、受信メモリ制御回路４０には、ＮＴＳＣエンコーダ４４から垂直同期信号及び画素クロック信号を含む種々のタイミング信号が供給されており、メモリ読み出し回路６２は、これらのタイミング信号に同期して、マイクロコントローラ６４からの読み出しバンク指定データに対応するメインメモリ４２のバンクからデータを読み出し、画像伸長回路４４に供給する。
【００３４】
図６及び図７は、マイクロコントローラ６４の動作フローチャートを示す。電源投入に応じて、先ず、マイクｒコンピュータ６４自体及び周辺回路を初期化する（Ｓ１）。具体的には、マイクロコントローラ６４内の各種レジスタを初期化し、電源投入時に内容が不定であるメインメモリ４２のデータ読み出しを禁止する。
【００３５】
ＮＴＳＣエンコーダ４６からの垂直同期信号のエッジを待ち、マイクロコントローラ６４をＮＴＳＣエンコーダ４６に同期させる（Ｓ２）。フィールド判別回路３８からのデータ・レディ信号を調べ、バッファ・メモリ３６に読み出し可能な受信データがあるかどうかを判断する（Ｓ３）。
【００３６】
バッファ・メモリ３６に受信データがある場合（Ｓ３）、マイクロコントローラ６４は、書き込みバンク指定データＷ＿ＢＡＮＫの内容を、メモリ書き込み回路６０に供給する書き込みバンク指定データＷ＿ＢＡＮＫ＿ＯＵＴに代入する。これにより、変数Ｗ＿ＢＡＮＫ＿ＯＵＴの内容が書き込みバンクを指定するデータとしてメモリ書き込み回路６０に印加される。そして、次の書き込み処理に備えて、内部的な書き込みバンク指定データＷ＿ＢＡＮＫをインクリメントしておく（Ｓ５）。
【００３７】
マイクロコントローラ６４は、データ要求パルスをフィールド判別回路３８に供給し、これに応じて、フィールド判別回路３８はバッファ・メモリ３６から圧縮画像データを読み出し、メモリ書き込み回路６０に印加する。マイクロコントローラ６４はまた、フィールド判別回路３８からフィールド判別結果を読み込み、ＮＴＳＣエンコーダ４６から現在のフィールドのステータス信号を読み込む（Ｓ７）。
【００３８】
受信データのフィールドとＮＴＳＣエンコーダ４６の出力中のフィールドが異なる場合（Ｓ８、Ｓ９、Ｓ１０）、現在書き込み中のメイン・メモリ４２のバンクを読み出し用としてメモリ読み出し回路６２に供給する（Ｓ１１）。演算としては、メモリ読み出し回路６２に読み出しバンク指定データとして供給する変数Ｒ＿ＢＡＮＫ＿ＯＵＴにＷ＿ＢＡＮＫ＿ＯＵＴの内容を代入する。そして、現在のメモリ読み出しバンク指定データＷ＿ＢＡＮＫ＿ＯＵＴの内容をバックアップ変数Ｒ＿ＢＡＮＫ＿ＢＡＫに保存し（Ｓ１２）、Ｓ２に戻る。
【００３９】
受信データのフィールドとＮＴＳＣエンコーダ４６の出力中のフィールドが一致する場合（Ｓ８、Ｓ９、Ｓ１０）、バックアップ変数Ｒ＿ＢＡＮＫ＿ＢＡＫで指定されるバンクに画像データが格納されているか否かを調べ（Ｓ１３）、データが存在する場合には、そのバックアップ変数Ｒ＿ＢＡＮＫ＿ＢＡＫで指定されるバンクからデータを読み出す（即ち、メモリ読み出しバンク指定データＲ＿ＢＡＮＫ＿ＯＵＴにバックアップ変数Ｒ＿ＢＡＮＫ＿ＢＡＫを代入する）（Ｓ１４）。そして、現在のメモリ読み出しバンク指定データＷ＿ＢＡＮＫ＿ＯＵＴの内容をバックアップ変数Ｒ＿ＢＡＮＫ＿ＢＡＫに保存し（Ｓ１２）、Ｓ２に戻る。
【００４０】
バックアップ変数Ｒ＿ＢＡＮＫ＿ＢＡＫで指定されるバンクに画像データが格納されていない場合（Ｓ１３）、メモリ読み出しを禁止し（Ｓ１５）、現在のメモリ読み出しバンク指定データＷ＿ＢＡＮＫ＿ＯＵＴの内容をバックアップ変数Ｒ＿ＢＡＮＫ＿ＢＡＫに保存し（Ｓ１２）、Ｓ２に戻る。
【００４１】
図８は、受信メモリ制御回路４０のタイミング・チャートの一例を示す。図８（１）は、ＮＴＳＣエンコーダ４６から入力される垂直同期信号であり、波形の１周期分が１フィールド期間に相当する。図８（２）は、ＮＴＳＣエンコーダ４６から入力されるフィールド・ステータス信号であり、Ｈ期間が奇（ＯＤＤ）フィールド期間を示し、Ｌ期間が偶（ＥＶＥＮ）フィールド期間を示す。図８（３）はフィールド判別回路３８から出力されるデータレディ信号であり、Ｈ期間はデータの読み出しが可能であることを示す。図８（４）は、マイクロコントローラ６４がＳ４で出力する書き込みバンク指定データである。図８（５）は、マイクロコントローラ６４がＳ６で出力するデータ要求パルスであり、このパルスに応じて図８（６）に示すタイミングでメモリ書き込み回路６０に受信データが入力される。
【００４２】
図８（７）はフィールド判別回路３８から出力される受信データ・フィールド判別信号であり、Ｈ期間が奇フィールドを示し、Ｌ期間が偶フィールドを示す。図８（８）は、マイクロコントローラ６４がＳ１１又はＳ１４で出力するメモリ読み出しバンク指定データである。図８（９）は、マイクロコントローラ６４から出力されるメモリ読み出しバンク指定データに応じてメモリ読み出し回路６２によりメイン・メモリ４２から画像伸長回路４４に読み出されるデータのタイミング波形である。図８（１０）マイクロコントローラ６４内に記憶するバックアップ・バンク・データである。図８（１１）はメモリ読み出し禁止要求信号であり、Ｈ期間が禁止期間である。読み出しバンク指定データ（Ｒ＿ＢＡＮＫ＿ＯＵＴ）に値がセットされると（図８では、タイミングＴａ１）出力されると、メモリ読み出し禁止要求信号はＬになり、読み出し許可状態になる。
【００４３】
図８に示すタイミング・チャートを図６及び図７に示すフローチャートと比較すると、Ｔａ１のタイミングでは、図８（１）に示すようにＮＴＳＣエンコーダ４６の出力は奇フィールドであり、図８（３）に示すようにデータ・レディ信号もレディ状態（Ｈ状態）にあるので、マイクロコントローラ６４は、Ｓ１〜Ｓ８からＳ９に移行する。次に、図８（７）に示すように、受信データのフィールド判別信号がＬ（偶フィールド）を示すので、Ｓ９からＳ１１に移行し、図８（４），（８）に示すように、受信データが書き込まれているバンクが読み出されるバンクになる。△ｔ後のＴｂ１のタイミングで、マイクロコントローラ６４は、Ｓ１２の処理によりＴｂ１の時点の書き込みバンク指定データ（Ｗ＿ＢＡＮＫ＿ＯＵＴ）の値でバックアップ・バンク・データを更新する。
【００４４】
本実施例では、メモリ書き込み回路６０及びメモリ読み出し回路６２は、図８（１）に示される垂直同期信号の立ち上がりエッジのタイミングＴ１，Ｔ２，・・・で各バンク指定データをラッチする。たとえば、タイミングＴ２では、点線で図８（４）から書き込みバンクはバンク２となり、図８（８）から読み出し爆破バンク１となる。図８に示す受信状態では、特に問題なく画像を受信し、表示できる。
【００４５】
図９は、従来例で問題となった受信状態のタイミング・チャートを示す。図９（１）〜（１１）に示す信号は、図８（１）〜（１１）に示す信号と同じである。図９では、ＮＴＳＣエンコーダ４６のフィールド・ステータス（図９（２））に対して、受信データのフィールド・タイプ（図９（６））が、図８の場合と反対になっている。
【００４６】
図９のタイミング・チャートと図６及び図７に示すフローチャートを対比して説明すると、Ｔａ１のタイミングでは、図９（１）に示すようにＮＴＳＣエンコーダ４６の出力は奇フィールドであり、図９（３）に示すようにデータ・レディ信号もレディ状態（Ｈ状態）にあるので、マイクロコントローラ６４は、Ｓ１〜Ｓ８からＳ９に移行する。次に、図９（７）に示すように、受信データのフィールド判別信号がＨ（奇フィールド）を示すので、Ｓ９からＳ１３に移行する。この時点で、バックアップ・バンク・データは未定になっており、当然、バックアップ・バンクに画像データが入っていないので、図９（１１）に示すように、メモリ読み出し禁止要求信号をＨのままにして、メイン・メモリ４２を読み出し禁止状態にする（Ｓ１５）。また、図９（８）に示すように読み出しバンク指定データも出力されない。この結果、Ｔ２の時点では、メイン・メモリ４２のどのバンクからも画像データが読み出されない。
【００４７】
次の垂直同期信号の立ち上がりエッジの後のタイミングＴａ２で、ＮＴＳＣエンコーダ４６の出力が偶フィールドになり（図９（１），（２））、受信データも偶フィールドになっているので（図９（７））、マイクロコントローラ６４は、Ｓ１〜Ｓ８からＳ１０，Ｓ１３に移行する。Ｓ１３において、図９（１０）に示すようにバックアップ・バンク・データは“１”であり、受信画像データが存在するので、マイクロコントローラ６４は、Ｓ１３からＳ１４に移行し、図９（１１）に示すようにメモリ読み出し禁止状態を解除する。同時に、図９（８）に示すように、読み出しバンク指定データにバックアップ・バンク・データを反映させ、バンク１を読み出しバンクとする。
【００４８】
この結果、従来では問題のあったタイミングでデータが受信されても、図９（１），（９）に示されるように、ＮＴＳＣエンコーダ４６のフィールド状態に合致するフィールドのデータをメイン・メモリ４２から読み出すことが可能になり、モニタ表示画像も、図１５に示すような適正な画像となる。
【００４９】
本実施例では、書き込みバンク及び読み込みバンクの選定にマイクロコントローラ６４を用いているが、マイクロコントローラの代わりに論理回路を組み合わせたものでもよいことは勿論である。
【００５０】
本実施例では、モニタ側のフィールドとずれたフィールドのデータが受信された場合でも、受信データを一時記憶するメモリのデータ読み出しを両フィールドが対応したものとなるように調整するので、実質的に、画像送信側と画像受信側（の表示装置）との間の同期をとることが可能になり、表示画像の品質を大幅に改善することができる。
【００５１】
上記実施例では、理解を容易にするために、画像伸長回路４４及びＮＴＳＣエンコーダ４６の処理時間をほとんど無視しているが、これらが無視できない程である場合には、表示フィールドとメイン・メモリ４２から読み出すデータのフィールドとの対応は、回路４４，４６の動作に要する時間を考慮して決定されるべきである。
【００５２】
無線伝送の実施例を説明したが、本発明は、画像情報を非同期で伝送する伝送システムに一般に適用しても、一連の画像情報を適切なフィールド対応で表示することができる。
【００５３】
【発明の効果】
以上の説明から容易に理解できるように、本発明によれば、フィールドのずれによる画質劣化を防止できる。
【図面の簡単な説明】
【図１】  本発明の一実施例の送信側（カメラ・ユニット）の概略構成ブロック図である。
【図２】  フィールド・マークと画像データの結合例である。
【図３】  バッファ・メモリ１５の書き込みと読み出しのタイミングの一例である。
【図４】  本実施例の受信側（記録表示ユニット）の概略構成ブロック図である。
【図５】  受信メモリ制御回路４０とメイン・メモリ４２の部分の概略構成ブロック図である。
【図６】  マイクロコントローラ６４の動作フローチャートの一部である。
【図７】  マイクロコントローラ６４の動作フローチャートの一部である。
【図８】  受信フィールドと表示フィールドが対応している場合の、受信メモリ制御回路４０のタイミング・チャートの一例である。
【図９】  受信フィールドと表示フィールドが対応しない場合の、受信メモリ制御回路４０のタイミング・チャートの一例である。
【図１０】  従来例の送信側（カメラユニット側）の概略構成ブロック図である。
【図１１】  従来例の受信側（画像記録表示ユニット側）の概略構成ブロック図である。
【図１２】  ＮＴＳＣテレビジョン方式の走査線構成図である。
【図１３】  表示画像例である。
【図１４】  図１１に示す受信側ユニットのタイミング波形である。
【図１５】  図１３のＡ付近の走査線拡大画像である。
【図１６】  画像送信側と画像受信側で映像同期信号がずれた場合のタイミング・チャーとである。
【図１７】  図１６に示すタイミングの場合の表示画像例である。
【符号の説明】
１０：撮像装置
１２：画像圧縮回路
１４：送信メモリ制御回路
１５：バッファ・メモリ
１６：スペクトラム拡散送信回路
１８：スイッチ
２０：アンテナ
２２：スペクトラム拡散受信回路
２４：カメラ部制御回路
２６：操作キー
３０：アンテナ
３２：切換えスイッチ
３４：スペクトラム拡散受信回路
３６：バッファ・メモリ
３８：フィールド判別回路
４０：受信メモリ制御回路
４２：メイン・メモリ
４４：画像伸長回路
４６：ＮＴＳＣエンコーダ
４８：記録装置
５０：映像モニタ
５２：表示部制御回路
５４：操作キー
５６：スペクトラム拡散送信回路
６０：メモリ書き込み回路
６２：メモリ読み出し回路
６４：マイクロコントローラ
１１０：撮像装置
１１２：画像圧縮回路
１１４：バッファ・メモリ
１１６：スペクトラム拡散送信回路
１１８：スイッチ
１２０：アンテナ
１２２：スペクトラム拡散受信回路
１２４：カメラ部制御回路
１２６：操作キー
１３０：アンテナ
１３２：スイッチ
１３４：スペクトラム拡散受信回路
１３６：バッファ・メモリ
１３８：画像伸長回路
１４０：ＮＴＳＣエンコーダ
１４２：記録装置
１４４：映像モニタ
１４６：表示部制御回路
１４８：操作キー
１５０：スペクトラム拡散送信回路
【図１】
0003847896.tif 000002
【図２】
0003847896.tif 000003
【図３】
0003847896.tif 000004
【図４】
0003847896.tif 000005
【図５】
0003847896.tif 000006
【図６】
0003847896.tif 000007
【図７】
0003847896.tif 000008
【図８】
0003847896.tif 000009
【図９】
0003847896.tif 000010
【図１０】
0003847896.tif 000011
【図１１】
0003847896.tif 000012
【図１２】
0003847896.tif 000013
【図１３】
0003847896.tif 000014
【図１４】
0003847896.tif 000015
【図１５】
0003847896.tif 000016
【図１６】
0003847896.tif 000017
【図１７】
0003847896.tif 000018